(57)【要約】      （修正有）【課題】最近、各種な泡風呂が考案されているが、装置が大きく、高価で、ＡＣ電源を使用するため危険性がある等で、特にマンションのユニットバスには向かない。泡風呂の効果は色々あるので本発明は、マンションの風呂にも使用できるようにした。【解決手段】高圧空気発生装置は、スパイラルファン１２とこれを高速で駆動するマイクロモータ９とその電源となる手動式発電機１０と全体をコントロールする制御器１６からなり、微細気泡発生は、この高圧空気を微細なフィルタ１３を通す事によって発生させる。【選択図】図２
2007203021.tif 000002
【特許請求の範囲】
【請求項１】
家庭用の風呂などにおいて、微細気泡を発生する濾過器（フィルタ）と高圧気室（ハイエアーチャンバー）と高圧送風機（スパイラルファン）と小型直流電動機（マイクロモータ）とこれに連動する歯車変速機（ギヤーボックス）とこれを駆動するための充電器（バッテリ）と全体を制御する制御装置（マイコン）と空気取り入れ口を浮揚するするための浮き袋などを備えたことを特徴とする風呂用微細気泡発生装置。
【請求項２】
本装置に供給する電源を手動式電圧発生器（ダイナモ）を付属し、防水構造にし、本装置の充電器に蓄電するようにしたことを特徴とする（請求項１）記載の風呂用微細気泡発生装置。
【請求項３】
高圧空気を発生するための高圧送風機（スパイラルファン）を、歯車変速機（ギヤーボックス）を介して手動にて回転するように簡易化したしたことを特徴とする（請求項１）記載の風呂用微細気泡発生装置。
【発明の詳細な説明】
【技術分野】
【０００１】  本発明は、一般家庭用の風呂に使用する微細気泡発生装置に関する。
【背景技術】
【０００２】  従来の家庭用風呂は、追い炊き式と沸かし湯式があり、追い炊き型は、日が経つに連れ微細な黴菌が増え、体臭等の匂いがきつくなる。【０００３】  沸かしたての湯は、身体が冷えるとされ、上記の場合と同じような理由で、色々な風呂用グッズ（入浴剤）が販売されている。【０００４】  又、当初から気泡を出す装置が装着されている風呂もあるが、これらの装置は大がかりで高価であり、それに風呂場内にＡＣ電源を使用するので危険である。
【発明が解決しようとする課題】
【０００５】  本発明は、マンションのユニットバスに象徴されるように、狭く、ＡＣ電源が無いため、気泡発生装置を導入しようとしても出来ない。又、殆どが追い炊き式になっており２〜３日すると汚れや黴菌や匂いが気になる。
【０００６】  風呂に気泡を放出する理由は色々あるが、マッサージ効果や美肌効果や風呂水の活性化によって黴菌や匂いを消す等の効果を狙いとしている。しかし、前述のように簡単には導入出来ない。本発明は、この様な課題を解決するのが目的である。
【課題を解決するための手段】
【０００７】  上記の課題を解決するために、必要な電源を手動式のダイナモで発電し蓄電するものや、全く電源を使用しない手動式の気泡発生装置により、同様な効果を得るものである。
【０００８】  先ず、本発明は、微細気泡（気泡粒の径が０．５〜１．０μｍ程度）を発生するようになっている。水中に微細気泡を発生させると、水は牛乳を流したような乳白色となる。そのため、高圧室を作りその空気が微細なフィルタを通過することによって微細な気泡となる。その手段として、スパイラルファンを高速に回転することで、その動力として電動機を使用する方式と手動式とを考案した。
【発明の効果】
【０００９】  上述のような乳白色の微細な気泡は、下記のような種々の効果がある。
１．湯質が軟らかくなる。温泉のような感じになり気持ちがよい。
２．微細気泡が肌に沿うて流れるため、マッサージ効果と美肌効果がある。
３．微細気泡に含む酸素が水を活性化し、風呂水を浄化するので、特に追い炊き風呂に効果的である。
４．手回しの発電機（ダイナモ）や高圧空気発生用ハンドルを回すので適当な運動になる。
５．安価で、使い方が簡単。
６．商用電源（ＡＣ１００Ｖ）を使用しないため、安全である。
７．ランニングコストが掛からない。又、永続的に使用できる。
【発明の実施するための最良の形態】
【００１１】  以下、本発明の実施形態を図１〜図１０に基づいて説明する。
【００１２】  図１は本発明の装置を使用した入浴状態を示す。図において１は浴槽、２は給湯パイプで、追い炊き式では２本ある。３は本発明の中心をなす微細気泡発生装置であり、５は空気吸入口で、これを常に水面上に維持するするために空気袋４を設ける。詳細は図３に示す。
【００１３】  図２は本発明の主要部の断面図で、８バッテリーに予め充電された電源で９マイクロモータを回し、１５ギヤーボックスで適当な回転数にし、１２スパイラルファンを回転し２６高気圧室に空気を送る。１３はフィルタで、細かい粒子を焼結し０．５〜１μｍ程度の微細気泡ができる。この微細気泡が出来る要件は、空気圧とフィルタの密度（粒子径と粒子の密着度）による。１４は逆止弁で７と同様に逆流を防止する。１３Ａは１３フィルタの窪みで空気の入り口の面積を広くし、空気が通りやすくする。
【００１４】  図３は空気給入部の断面図で、５パイプにゴム製又はプラスチック製の４浮き袋が取り付けてあり、その反対側にゴムパイプが３本体装置と接続されている。
【００１５】  図４は１１防水カバーを外した正面図で、１０は押しボタンスイッチで本体を起動する。タイマーも組み込まれており、１回押すと３０分、２回押すと１時間連続運転可能なように１６制御器にマイコンが組み込まれている。１７は８充電器に充電できるソケットである。図５は図２のＡ−Ａ断面図で内部構造を示す。
９はマイクロモータである。１８収納ケースで、各部品は隔壁で仕切られている。
【００１６】  図６はＢ−Ｂ断面で、１２スパイラルファンを示す。１２Ｂはスパイラル溝である。
【００１７】  図７は８充電器に充電するための手動式の発電機で、２１がダイナモ、２２ギヤボックスである。２２ギヤボックスは、２４ハンドルを回したときに回しやすい回転力にするためのもので、このダイナモは、市販の物に防水加工して使用しても良い。
【００１８】図８、図９、図１０は、他の実施例を示すもので、浴槽外で２４ハンドルを回し高圧空気を２８ホースで浴槽内の３微細気泡発生器におくるもので、電気を一切使用せず、安全で、安価で超寿命の構造にする。
【図面の簡単な説明】
【００１９】
【図１】  本発明の一例を示す使用状態の断面図
【図２】  本発明の本体の断面図
【図３】  浮き袋断面図
【図４】  防水カバーを外した状態の正面図
【図５】  図２におけるＡ−Ａ線断面図
【図６】  図２におけるＢ−Ｂ線断面図
【図７】  手動式発電機の外観図
【図８】  他の実施例を示す浴槽内の配置を示す断面図
【図９】  同上高圧空気発生器の断面図
【図１０】  同上微細気泡発生器の断面図
【符号の説明】
【００２０】  １．浴槽                              ２．給湯パイプ
３．微細気泡発生装置                  ４．浮き袋
６．ホース                            ８．充電器
９．マイクロモータ                  １０．作動スイッチ
１１．防水カバー                      １２．スパイラルファン
１３．フィルタ                        １４．バルブ
１５．ギヤーボックス                  １６．制御器
２０．手動式ダイナモ                  ２６．高圧空気室
３０．手動式高圧ファン
【図１】
2007203021.tif 000003
【図２】
2007203021.tif 000004
【図３】
2007203021.tif 000005
【図４】
2007203021.tif 000006
【図５】
2007203021.tif 000007
【図６】
2007203021.tif 000008
【図７】
2007203021.tif 000009
【図８】
2007203021.tif 000010
【図９】
2007203021.tif 000011
【図１０】
2007203021.tif 000012